(57)【要約】    【課題】  情報表示装置において、操作ボタンを介してスイッチ本体に作用する操作力が表示デバイスに直接作用するのを防止する。    【解決手段】  液晶表示デバイス１１を内部に収容するケース２０の枠部２５のうち下側枠部２５ａを、液晶表示デバイス１１と間隙を確保しつつ拡幅して形成し、液晶表示デバイス１１に表示する表示内容を切り換えるタクトスイッチ４２を、下側枠部２５ａに支持させることにより、タクトスイッチ４２に作用する押圧力をケース２０によって受ける。【選択図】            図３
2005050680.tif 000002
【特許請求の範囲】
【請求項１】
表示デバイスと、前記表示デバイスを内部に収容するとともに該表示デバイスの表示面に対応する部分が開口してなる筐体と、スイッチ本体と、前記スイッチ本体に入力操作を伝達する透明の操作ボタンとを備え、前記操作ボタンは前記表示面の一部を覆うように該表示面の前面側に配置されて、該表示面のうち該操作ボタンに覆われた表示面部分に表示された該操作ボタンに関する情報を、該操作ボタンを介して外部から透過視認可能とされた情報表示装置において、
前記スイッチ本体は、前記表示面との間に隙間を介して前記筐体側に支持されていることを特徴とする情報表示装置。
【請求項２】
前記筐体の開口を形成する枠部が、前記表示面との間に隙間を介して該表示面の一部を覆うように拡幅されているとともに、該枠部の拡幅された部分には、前記覆われた表示面の一部を視認可能とする窓が形成され、前記操作ボタンは前記窓に対向して該窓の前面側に配置されるように前記枠部の拡幅された部分に取り付けられ、前記スイッチ本体は前記枠部の拡幅された部分のうち前記窓以外の部分に支持されていることを特徴とする請求項１に記載の情報表示装置。
【請求項３】
前記枠部の拡幅された部分に形成された窓の周縁部に、前記操作ボタン側に向けて延びる周壁が立設されていることを特徴とする請求項２に記載の情報表示装置。
【請求項４】
前記スイッチ本体と前記操作ボタンとは、スイッチ組立体として予め一体的に形成され、該スイッチ組立体が前記枠部の拡幅された部分に取り付けられていることを特徴とする請求項２または３に記載の情報表示装置。
【発明の詳細な説明】
【技術分野】
【０００１】
本発明は情報表示装置に関し、詳細には、建設機械や車両等の搭載に適した液晶表示装置等の情報表示装置の改良に関する。
【背景技術】
【０００２】
従来、例えば自動車等の車両の車室内には、装備機器の状況を数値や記号あるいは絵柄等によって表示するモニタ装置（情報表示装置）が設けられている。装備機器の状況としては、例えば、空調機の設定温度や吹出口の選択状況、内外気の切換え状況等であり、これらが主としてグラフィカルに表示される。また、クレーン、ショベル等の建設機械の操作室内にも自動車の車室内と同様に、クレーンのブームの状況やショベルのバケットの状況等各種操作状況などを表示する情報表示装置が設けられている。
【０００３】
そして、これらの情報表示装置には、表示される各種情報の表示切換えや、その情報に関連する操作を入力するための操作ボタン等が設けられているものがある。例えば、この操作ボタンによる入力としては、空調機に対する設定温度や、ブームの角度・伸縮の操作、あるいは情報の表示切換え等である。
【０００４】
このような情報表示装置は、例えばＴＦＴ液晶表示デバイス等の表示デバイスと、表示デバイスを内部に収容するとともに表示デバイスの表示面に対応する部分が開口してなるケース（筐体）と、スイッチ本体と、スイッチ本体に入力操作を伝達する操作ボタンとを備え、操作ボタンは透明に形成されて表示面の一部を覆うように表示面の前面側に配置された構成となっている（特許文献１）。
【０００５】
そして、透明な操作ボタンによって覆われた表示面の部分には、この操作ボタンの説明や、操作内容を表す文字や記号、あるいは絵柄等が表示され、これらの説明等は、透明な操作ボタンを介して、操作者に透過視認可能となっている。
【０００６】
また、スイッチ本体は表示デバイスに直接固定されており、操作者が操作ボタンに対して操作力を加えると、この操作力が操作ボタンからスイッチ本体に伝達されてスイッチ本体を機能させ、あるいは表示面の表示内容を切り換える等される（特許文献１）。
【特許文献１】特開２００１−３５６９６２号公報（図２図等）
【発明の開示】
【発明が解決しようとする課題】
【０００７】
ところで、例えばＴＦＴ液晶等を用いた表示デバイスは耐振性が比較的弱いため、振動吸収部材等を介した防振構造によって筐体に支持される。このため、表示デバイス側にスイッチ本体が支持されていると、操作ボタンに加えた操作力が操作ボタンからスイッチ本体に伝達される際に、操作力が振動吸収部材によって吸収されて、操作者への反力が小さくなり、適度な操作感を得難いという問題がある。
【０００８】
さらに、操作感を得るために、スイッチ本体として、節度感の高いタクトスイッチを用いると、このタクトスイッチを介して表示デバイスに過度の押圧力が作用し、表示デバイスの強度面から適当ではない。
【０００９】
そして、このような問題は、表示デバイスがＴＦＴ液晶表示デバイスである場合に限らず、他の種類の液晶（ＳＴＮ液晶やＤＳＴＮ液晶）表示デバイスであっても同様であり、また、ＥＬ（エレクトロルミネッセンス）表示デバイス、プラズマディスプレイ等の板状形表示デバイスにも共通する問題である。
【００１０】
本発明は上記事情に鑑みなされたものであり、操作ボタンを介してスイッチ本体に作用する操作力が表示デバイスに直接的に作用するのを防止することができる情報表示装置を提供することを目的とするものである。
【課題を解決するための手段】
【００１１】
本発明に係る情報表示装置は、表示デバイスと、前記表示デバイスを内部に収容するとともに該表示デバイスの表示面に対応する部分が開口してなる筐体と、スイッチ本体と、前記スイッチ本体に入力操作を伝達する透明の操作ボタンとを備え、前記操作ボタンは前記表示面の一部を覆うように該表示面の前面側に配置されて、該表示面のうち該操作ボタンに覆われた表示面部分に表示された該操作ボタンに関する情報を、該操作ボタンを介して外部から透過視認可能とされた情報表示装置において、前記スイッチ本体は、前記表示面との間に隙間を介して前記筐体側に支持されていることを特徴とする。
【００１２】
ここで、表示デバイスとしては、種々の板状形表示デバイスを適用することができ、例えばＴＦＴ，ＳＴＮ，ＤＳＴＮ等の各種液晶表示デバイスや、ＥＬ表示デバイス、プラズマディスプレイ等を適用することができる。ＴＦＴ液晶表示デバイスとしては例えばフルドットフルカラーのもの、ＳＴＮ液晶表示デバイスとしては例えばフルドット２５６色のものなどを適用することができる。これら各種液晶表示デバイスやＥＬ表示デバイス、プラズマディスプレイ等の板状形表示デバイスは特に、表示面から極浅い深度の内部に、各表示画素に対応する微細な電子回路が組み込まれており、表示面に過大な押圧力が入力された場合に、これら内部の回路等に与える影響が大きく、この観点から本発明の効果が一層顕著なものとなる。
【００１３】
スイッチ本体としては、操作力を加えたとき、適度の節度感（クリック感）を得ることができるタクトスイッチを適用するのが好ましいが、必ずしもタクトスイッチに限定されるものではない。
【００１４】
また、表示デバイスは、筐体に対して防振支持されて収容されていることが好ましい。表示デバイスが筐体に対してリジッドに支持されていると、車両の走行時の振動や建設機械の作業時の振動が表示デバイスに直接的に入力し、ＴＦＴ液晶表示デバイス等比較的耐振性の低い表示デバイスでは、故障の要因になる虞があるのに対して、防振支持されている構成では、表示デバイスに加わる振動を軽減させることができるからである。
【００１５】
このように構成された本発明に係る情報表示装置によれば、スイッチ本体が筐体に支持されているため、操作ボタンを介してスイッチ本体に操作力が作用しても、この操作力が表示デバイスに直接作用するのを防止することができる。
【００１６】
また、本発明に係る情報表示装置において、筐体の開口を形成する枠部が、表示面との間に隙間を介して該表示面の一部を覆うように拡幅されているとともに、該枠部の拡幅された部分には、覆われた表示面の一部を視認可能とする窓が形成され、操作ボタンは前記窓に対向して該窓の前面側に配置されるように枠部の拡幅された部分に取り付けられ、スイッチ本体は、枠部の拡幅された部分のうち窓以外の部分に支持されている構成とするのが好ましい。
【００１７】
このように構成された本発明に係る情報表示装置によれば、表示面の一部を覆う拡幅された枠部にスイッチ本体および操作ボタンが支持されているため、操作ボタンに作用した操作力はこの拡幅された枠部で受けることができるため、操作力が表示デバイスに作用するのを防止することができる。
【００１８】
また、枠部の拡幅された部分によって、表示面の一部は覆われるが、操作ボタンに対応する部分については窓が形成されているため、この窓および透明な操作ボタンを通して表示情報を視認することができる。
【００１９】
さらに、枠部の拡幅された部分に形成された窓の周縁部に、操作ボタン側に向けて延びる周壁が立設された構成とするのが好ましい。
【００２０】
このように構成された本発明に係る情報表示装置によれば、透明な操作ボタンに対して、外部の斜め方向から観察したとき、この周壁の外側の領域を遮蔽することができ、外観品質を向上させることができる。
【００２１】
しかも、この周壁の立設高さを適切に設定することによって、操作ボタンに過度の操作力が作用しても、操作ボタンの背面が周壁の立設上端面に突き当たり、操作ボタンが操作力付加方向に過剰に変位するのを防止することができる。
【００２２】
また、本発明に係る情報表示装置において、スイッチ本体と操作ボタンとは、スイッチ組立体として予め一体的に形成され、このスイッチ組立体が枠部の拡幅された部分に取り付けられている構成とするのが好ましい。
【００２３】
このように構成された本発明に係る情報表示装置によれば、スイッチ本体と操作ボタンとが予め一体的に形成されているため、筐体の枠部の拡幅された部分へのスイッチ本体および操作ボタンの取付けを容易にすることができる。
【００２４】
また、本発明に係る情報表示装置において、前記表示デバイスは、各表示画素に対応する微細な電子回路が組み込まれた板状形表示デバイスであることが好ましい。
【００２５】
このように構成された本発明に係る情報表示装置によれば、表示面に過大な押圧力が入力された場合に、これら内部に組み込まれた回路等に与える影響が大きく、この観点から本発明の効果を一層顕著に発揮させることができるからである。
【発明の効果】
【００２６】
本発明に係る情報表示装置によれば、スイッチ本体が筐体に支持されているため、操作ボタンを介してスイッチ本体に操作力が作用しても、この操作力が表示デバイスに直接作用するのを防止することができる。
【発明を実施するための最良の形態】
【００２７】
以下、本発明の情報表示装置に係る最良の実施形態について、図面を参照して説明する。
【００２８】
図１は、建設機械の一例である油圧ショベルに設けられたキャビン（運転ボックス）１００内の様子を示す概略模式図であり、本発明の実施形態に係る情報表示装置１０は、このキャビン１００内の運転席９１に座った操作者が見易く、かつ操作し易いように、例えば右フロントピラー９０の下部に設けられる。
【００２９】
そして、この情報表示装置１０は、図２に示すように油圧ショベル（建設機械本体）のエンジンオイルのレベル等の各種状況をグラフィックや数値、記号等によって表示する。また、これらの状況等の表示と切り換えて、図示しないカメラによって撮影された周囲の映像を映し出すようにしてもよい。
【００３０】
この情報表示装置１０は、詳しくは図３に示すように、ＴＦＴ液晶表示デバイス（表示デバイス）１１と、この液晶表示デバイス１１を内部に収容するとともに液晶表示デバイス１１の表示面１３に対応する部分２３が開口してなるケース（筐体）２０と、スイッチ本体４２およびこのスイッチ本体４２に入力操作を伝達する透明の操作ボタン４１を有するスイッチ組立体４０とを備え、操作ボタン４１は表示面１３の一部を覆うように表示面１３の前面側に配置されて、表示面１３のうち操作ボタン４１に覆われた表示領域１３ｂに表示された操作ボタン４１に関する情報を、操作ボタン４１を介して外部から透過視認可能とされているとともに、スイッチ本体４２は、表示面１３との間に隙間を介してケース２０に支持されている。
【００３１】
ここで、ケース２０は、液晶表示デバイス１１の背面側を覆う基部ケース２１と液晶表示デバイス１１の表示面側に回り込むアッパケース２２とからなり、基部ケース２１は、後述するフレーム１２を介して液晶表示デバイス１１を防振支持している。また、アッパケース２２は、嵌合によって基部ケース２１と接合され、液晶表示デバイス１１とは接触しないように形成されている。
【００３２】
液晶表示デバイス１１の表示面１３は、上述したように各種状況を表示する第１表示領域１３ａと、操作ボタン４１の種別を表す絵柄等１３ｃを表示する第２表示領域１３ｂとに区画されており、第２表示領域１３ｂに表示された特定の絵柄等１３ｃに対応する操作ボタン４１が操作されると、当該操作ボタン４１に対応して設けられたスイッチ本体４２が押下されて、第１表示領域１３ａに表示される内容が、その操作ボタン４１の種別に対応した詳細情報に切り換えられるように構成されている。
【００３３】
本実施形態においては、第１表示領域１３ａに表示される情報として、例えばエンジンの油温、燃料残量、エンジンオイルのレベル等がある。
【００３４】
また、液晶表示デバイス１１の背面側には、図４の断面図に示すように、ゴム等の弾性材料からなる弾性部材を介してフレーム１２が弾性的に取り付けられている。すなわち、フレーム１２の例えば四隅近傍には、図４（ａ）または同図（ｂ）に示す貫通孔１２ａが形成されており、この貫通孔１２ａには、ゴム等の弾性材料によって筒状に形成されたグロメット（弾性支持部材）１２ｂが嵌挿されている。ここで、グロメット１２ｂの内周面には、グロメット１２ｂが軸方向に過度に潰れるのを防止するスリーブＳが嵌着され、グロメット１２ｂの外周面には周方向に延びる環状溝１２ｃが形成されている。
【００３５】
そして、このグロメット１２ｂの環状溝１２ｃに、フレーム１２の貫通孔１２ａに隣接する縁部が嵌合し、一方、グロメット１２ｂの端面が、液晶表示デバイス１１の背面に当接されるとともに、スリーブＳに貫挿された固定ネジ１２ｄによって、図４（ａ）に示すグロメット１２ｂと液晶表示デバイス１１とが圧接され、これによってフレーム１２は液晶表示デバイス１１に弾性的に取り付けられる。
【００３６】
なお、固定ネジ１２ｄの頭部１２ｅとグロメット１２ｂおよびスリーブＳとの間には、固定ネジ１２ｄのねじ込みによって、グロメット１２ｂの端面が陥凹して締付力が低下するのを防止するために、ワッシャＷが介装されている。
【００３７】
また、グロメット１２ｄにスリーブSを設けるのに代えて、図４（ｂ）に示すように、グロメット１２ｄの内径と略等しい外径で、かつグロメット１２ｄの軸方向長さおよびワッシャＷの厚さの合計長さと略等しい長さの大径部１２ｆを有する段付ネジを固定ネジ１２ｄとして用いてもよい。この場合には、段付ネジの大径部１２ｆがスリーブＳの機能を発揮する。
【００３８】
一方、フレーム１２は、図５の断面図に示すように、基部ケース２１の内面側に形成されたボス２１ａの端面に当接し、基部ケース２１の外側からボスを２１ａに貫挿された固定ネジ２１ｂと螺合して、基部ケース２１に対してリジッドに固定されている。
【００３９】
以上の構成によって、液晶表示デバイス１１は、グロメット１２ｄを介してケース２０に対して防振支持されている状態となり、油圧ショベル作業等によりケース２０に入力される振動は、グロメット１２ｄの弾性変形によって大幅に吸収され、液晶表示デバイス１１に伝達される振動を軽減している。
【００４０】
アッパケース２２は、前述したように、液晶表示デバイス１１の表示面１３に対応する部分２３が開口しているが、この開口２３には、この開口２３を通じて外部に臨まれる液晶表示デバイス１１の表示面１３を保護するためのガラス板２４が取り付けられている。
【００４１】
また、アッパケース２２の、液晶表示デバイス１１の表示面１３側に回り込んだ枠部２５は、狭額縁化されているため狭幅に形成されているが、下側枠部２５ａは第２表示領域１３ｂとの間に隙間を介してこの第２表示領域１３ｂを覆うように拡幅されている。
【００４２】
そして、この下側枠部２５ａには、覆われた第２表示領域１３ｂに表示された絵柄等１３ｃを透過視認可能とする窓２５ｂが形成され、さらに、この窓２５ｂの周縁部には、筒状の周壁２５ｃが立設されている。
【００４３】
なお、本実施形態においては、第２表示領域１３ｂのうち異なる８箇所に絵柄等１３ｃが表示されるため、これら８箇所にそれぞれ対向する８つの窓２５ｂが形成されているが、本発明に係る情報表示装置はこの形態に限定されるものではなく、第２表示領域１３ｂに表示される情報の数や内容に応じて、窓２５ｂの数は適宜変更することができる。
【００４４】
スイッチ組立体４０は、下側枠部２５ａの表面上に取り付けられるが、このスイッチ組立体４０は、図６に示すように、スイッチ本体４２であるタクトスイッチがマウントされたスイッチ基板ＳＢ、操作ボタン４１およびこれら操作ボタン４１を保持するボタンホルダＢＨからなるボタンアッセンブリ４３、並びに防水シートであるＰＥＴシートＰＳが一体化されて構成されている。
【００４５】
スイッチ基板ＳＢには、アッパケース２２の各窓２５ｂにそれぞれ対応する８つの孔Ｂが形成されている。この各孔Ｂは、アッパケースの各窓２５ｂに形成された周壁２５ｃを外周側から包囲する大きさに形成されている。また、各孔Ｂの近傍の基板部分には、各孔Ｂにそれぞれ対応するタクトスイッチ４２が設けられている。
【００４６】
また、ボタンホルダＢＨには、アッパケース２２の各窓２５ｂおよびスイッチ基板ＳＢの孔Ｂに対応して、８つのシーソーボタン配設孔Ｈが形成されているとともに、各シーソーボタン配設孔Ｈに対応して上下一対の軸受４３ａ，４３ａがそれぞれ形成されている。
【００４７】
そして、各シーソーボタン配設孔Ｈ内には、透明樹脂によって略矩形板状に形成された操作ボタン４１であるところのシーソーボタンがそれぞれ配設されている。このシーソーボタン４１は、一方の縦辺部に、ボタンホルダＢＨの軸受４３ａ，４３ａに軸支される軸４１ａ，４１ａが上下方向に突設されており、これらの軸４１ａ，４１ａが軸受４３ａ，４３ａに軸支されることによって、軸４１ａ，４１ａの延びる方向に直交する面内で回動可能の操作ボタン４１を形成している。
【００４８】
また、シーソーボタン４１の、軸４１ａとは反対側の縦辺部には、略矩形の舌片４１ｂが突出形成されている。この舌片４１ｂは、軸４１ａ，４１ａを回動中心としてシーソーボタン４１を回動させたとき、スイッチ基板ＳＢにマウントされたタクトスイッチ４２を押圧するように形成されている。なお、スイッチ基板ＳＢおよびボタンアッセンブリ４３は、ネジ４４によって、図７に示すように一体的に組み立てられている。
【００４９】
さらに、ボタンアッセンブリ４３の表面全体には、柔軟性を有するＰＥＴシートＰＳが接着されている。この接着は、予めＰＥＴシートＰＳの裏面に糊印刷が施されて、ＰＥＴシートＰＳの裏面をボタンホルダＢＨに密着するように貼着することによって行われ、タクトスイッチ４２への浸水を防止している。
【００５０】
そして、液晶表示デバイス１１の第２表示領域１３ｂに表示されたスイッチに対応した絵柄等１３ｃは、図８の断面図に示すように、アッパケース２２の各窓２５ｂ、スイッチ基板ＳＢの各孔Ｂ、透明なシーソーボタン４１および透明なＰＥＴシートＰＳを透過して、操作者に視認可能となり、ＰＥＴシートＰＳを介してシーソーボタン４１を押下すると、シーソーボタン４１が、軸４１ａを中心にして押下方向に回動し、舌片４１ｂがタクトスイッチ４２を押下し、タクトスイッチ４２の切換作用により、第１表示領域１３ａには、その押下されたシーソーボタン４１に対応した情報に、その表示内容が切り換えられる。
【００５１】
なお、図８に示すように、液晶表示デバイス１１の第２表示領域１３ｂと、下側枠部２５ａとの間には、間隙Ｌが確保されているため、タクトスイッチ４２と液晶表示デバイス１１の第２表示領域１３ｂとの間にも、隙間Ｌ以上の長さの間隙が確保されて、タクトスイッチ４２はアッパケース２２に支持されている状態となっている。
【００５２】
以上のように構成された実施形態の情報表示装置１０によると、液晶表示デバイス１１の第２表示領域１３ｂに表示された、各状況の情報に対応する絵柄等１３ｃは、アッパケース２２の各窓２５ｂ、スイッチ基板ＳＢの各孔Ｂ、透明なシーソーボタン４１および透明なＰＥＴシートＰＳを透過して操作者に視認可能となっているため、操作者は、所望とする表示内容に対応する絵柄１３ｃのシーソーボタン４１を、視認によって選択することができる。
【００５３】
そして、選択したシーソーボタン４１を押下することにより、シーソーボタン４１は、軸４１ａ，４１ａを中心にして回動し、シーソーボタン４１に形成された舌片４１ｂが、このシーソーボタン４１に対応するタクトスイッチ４２を押下させる。
【００５４】
これによってタクトスイッチ４２は所定の切換動作をなすが、このときタクトスイッチ４２のクリック感が反作用としてシーソーボタン４１に作用し操作者の指に伝達されるため、操作者はこのクリック感によって選択操作が確実に完了したことを認識することができる。
【００５５】
また、このタクトスイッチ４２は、液晶表示デバイス１１上に設けられているのではなく、液晶表示デバイス１１とは間隙Ｌが確保されたケース２０に支持されているため、このようなクリック感を得るのに要する相当の押圧力が作用しても、液晶表示デバイス１１にその押圧力が作用するのを防ぐことができ、スイッチ操作のための押圧力によって液晶表示デバイス１１が故障するのを防止することができる。
【００５６】
また、タクトスイッチ４２は剛性の高いケース２０に支持されており、作用した押圧力によってケース２０に生じる撓み量は、タクトスイッチ４２が液晶表示デバイス１１に支持されている場合に生じる液晶表示デバイス１１の撓み量よりも極めて小さいため、押圧力を作用させたときの触感としての剛性感が高く、この観点からも良好な操作感を得ることができる。
【００５７】
特に、本実施形態の情報表示装置１０は、液晶表示デバイス１１がケース２０に対して耐振支持されているため、タクトスイッチ４２が液晶表示デバイス１１に支持されている場合には、押圧力が、液晶表示デバイス１１とケース２０との間に介在されたグロメット１２ｂによって吸収され、軟弱な操作感となるため、効果の差は極めて大きいものとなる。
【００５８】
さらに、シーソーボタン４１の舌片４１ｂがタクトスイッチ４２を作動させたときの回動位置において、シーソーボタン４１が、下側枠部２５ａの窓２５ｂの周縁に形成された周壁２５ｃの端面に当接するように、この周壁２５ｃの高さを設定することによって、シーソーボタン４１に過度の押圧力が作用しても、シーソーボタン４１の背面がこの周壁２５ｃの端面に突き当たり、シーソーボタン４１がそれ以上変位するのを防止することができる。したがって、シーソーボタン４１の過度のストロークによってタクトスイッチ４２が故障等するのを防止することもできる。
【００５９】
また、透明なシーソーボタン４１を介して外部の斜め方向から内部を観察したとき、この周壁２５ｃによって、周壁２５ｃの外側の領域を遮蔽することができるため、外観品質を向上させることもできる。
【００６０】
なお、スイッチ基板ＳＢは、各孔Ｂに対応する部分を透明に形成し、孔Ｂを形成しない構成としてもよい。このように、各孔Ｂに対応する部分を単に透明に形成した構成の情報表示装置においては、アッパケース２２の周壁２５ｃをスイッチ基板ＳＢに嵌挿することができないため、この周壁２５ｃを除去した構成とし、あるいはスイッチ基板ＳＢに、この周壁２５ｃの突出分だけ逃げ形状を形成した構成とすればよい。スイッチ基板ＳＢに孔Ｂに代えて、当該孔Ｂに対応する部分を透明に形成した構成にあっては、タクトスイッチ４２に接続される回路の配置を簡単化することも可能である。
【００６１】
さらにまた、タクトスイッチ４２とシーソーボタン４１とが、スイッチ組立体４０として予め一体的に形成され、このスイッチ組立体４０が下側枠部２５ａに取り付けられているため、ケース２０にタクトスイッチ４２およびシーソーボタン４１を取り付ける作業の際に、両者の相対的位置関係に注意を払う必要がないため、組立作業性を高めることができる。
【００６２】
なお、本実施形態の情報表示装置１０は、下側枠部２５ａの外側面で、タクトスイッチ４２を支持しているが、スイッチ基板ＳＢがこのようなリジッドな基板である限り、液晶表示デバイス１１との間に適切な隙間を確保する条件の下、下側枠部２５ａの内側面でこのスイッチ基板ＳＢを支持するようにしてもよく、上記実施形態と同様の作用、効果を得ることができる。
【００６３】
また、本実施形態と同様に下側枠部２５ａの外側面でタクトスイッチ４２を支持する構成においては、スイッチ基板ＳＢはリジッドな基板である必要はなく、フレキシブル基板であっても、上記実施形態と同様の作用、効果を得ることができる。
【００６４】
さらに、本実施形態は、表示デバイスとしてＴＦＴ液晶表示デバイスを適用したものであるが、本発明はこの態様に限定されるものではなく、例えばＳＴＮ，ＤＳＴＮ等の各種液晶表示デバイスや、ＥＬ表示デバイス、プラズマディスプレイ等の各種板状形の表示デバイスを適用することができる。これら各種液晶表示デバイスやＥＬ表示デバイス、プラズマディスプレイ等の板状形表示デバイスは特に、表示面から極浅い深度の内部に、各表示が層に対応する微細な電子回路が組み込まれており、表示面に過大な押圧力が入力された場合に、これら内部の回路等に与える影響が大きく、この観点から本発明の効果が一層顕著なものとなる。
【図面の簡単な説明】
【００６５】
【図１】油圧ショベルに設けられたキャビン内の様子を示す概略模式図である。
【図２】キャビン内に設置された情報表示装置の情報表示例を示す図である。
【図３】図２に示した情報表示装置の分解斜視図である。
【図４】液晶表示デバイスの背面とフレームとの連結部分の詳細を示す、図３におけるＡ１−Ａ１線に沿った方向の断面を示す要部断面図である。
【図５】フレームと基部ケースとの連結部分の詳細を示す、図３におけるＡ２−Ａ２線に沿った方向の断面を示す要部断面図である。
【図６】スイッチ組立体の分解斜視図である。
【図７】スイッチ組立体の部分断面図である。
【図８】液晶表示デバイス（第２表示領域）とタクトスイッチとの位置関係を示す、図７におけるＡ３−Ａ３線に沿った方向の断面を示す要部断面図である。
【符号の説明】
【００６６】
１０  情報表示装置
１１  液晶表示デバイス（表示デバイス）
１２  フレーム
１３  表示面
１３ａ  第１表示領域
１３ｂ  第２表示領域
２０  ケース（筐体）
２１  基部ケース
２２  アッパケース
２３  開口
２４  ガラス板
２５  枠部
２５ａ  下側枠部
４０  スイッチ組立体
４１  シーソーボタン（操作ボタン）
４２  タクトスイッチ（スイッチ本体）
【図１】
2005050680.tif 000003
【図２】
2005050680.tif 000004
【図３】
2005050680.tif 000005
【図４】
2005050680.tif 000006
【図５】
2005050680.tif 000007
【図６】
2005050680.tif 000008
【図７】
2005050680.tif 000009
【図８】
2005050680.tif 000010